(57)【要約】【課題】地図データを備えていなくとも、容易に目的地を指定することができるようにする。【解決手段】予め用意されている地図における複数のページ数、その地図における座標範囲、及びその座標範囲に対応する緯度経度がそれぞれ対応付けられて複数組記憶されている記憶手段３１ｂと、地図におけるページ数と座標範囲とを入力するための入力手段３３と、この入力手段３３により入力されたページ数と座標範囲とに基づいて、記憶手段３１ｂから対応して記憶されている緯度経度を読み出す読出手段３０と、外部から受信した位置情報に基づいて、現在地の緯度経度を取得する取得手段３０と、この取得手段３０により取得された現在地の緯度経度と読出手段３０により読み出された緯度経度とに基づいて、ナビゲーション情報を出力する出力手段３０と、を備える。【選択図】      図１
2008157935.tif 000002
【特許請求の範囲】
【請求項１】
予め用意されている地図における複数のページ数、その地図における座標範囲、及びその座標範囲に対応する緯度経度がそれぞれ対応付けられて複数組記憶されている記憶手段と、
前記地図におけるページ数と前記座標範囲とを入力するための入力手段と、
この入力手段により入力されたページ数と前記座標範囲とに基づいて、前記記憶手段から対応して記憶されている緯度経度を読み出す読出手段と、
外部から受信した位置情報に基づいて、現在地の緯度経度を取得する取得手段と、
この取得手段により取得された現在地の緯度経度と前記読出手段により読み出された緯度経度とに基づいて、ナビゲーション情報を出力する出力手段と、
を備えることを特徴とする電子機器。
【請求項２】
予め用意されている地図における複数のページ数、そのページの予め定められている位置における緯度経度がそれぞれ対応付けられて複数組記憶されている記憶手段と、
前記地図におけるページ数と、当該地図上の座標範囲とを入力するための入力手段と、
この入力手段により入力されたページ数に基づいて、前記記憶手段から対応して記憶されている緯度経度を読み出す読出手段と、
この読出手段から読み出された緯度経度に基づいて前記入力手段により入力された地図上の座標範囲における緯度経度を算出する算出手段と、
外部から受信した位置情報に基づいて、現在地の緯度経度を取得する取得手段と、
前記算出手段により算出された緯度経度と、前記取得手段により取得された現在地の緯度経度とに基づいて、ナビゲーション情報を出力する出力手段と、
を備えることを特徴とする電子機器。
【請求項３】
予め用意されている地図における複数のページ数、そのページの予め定められている位置における緯度経度がそれぞれ対応付けられて複数組記憶されている記憶手段と、
予め用意されている地図、この地図上に表示されているページ数識別マークとを同時に撮像する撮像手段と、
この撮像手段により撮像された地図とページ数識別マークに加えてカーソルを表示する撮像表示手段と、
この撮像表示手段により表示された地図上でカーソルを目的地に該当する箇所に移動させて指定するカーソル指定手段と、
このカーソル指定手段によって指定されたカーソルの座標範囲を抽出する抽出手段と、
前記撮像表示手段により表示されたカーソルに対応するページ数識別マークからページ数を取得するページ数取得手段と、
このページ数取得手段により取得されたページ数に基づいて、前記記憶手段から対応して記憶されている緯度経度を読み出す読出手段と、
この読出手段から読み出された緯度経度に基づいて前記抽出手段により抽出されたカーソルの座標範囲における緯度経度を算出する算出手段と、
外部から受信した位置情報に基づいて、現在地の緯度経度を取得する取得手段と、
前記算出手段により算出された緯度経度と、前記取得手段により取得された現在地の緯度経度とに基づいて、ナビゲーション情報を出力する出力手段と、
を備えることを特徴とする電子機器。
【請求項４】
予め用意されている地図における複数のページ数、そのページの予め定められている位置における緯度経度がそれぞれ対応付けられて複数組記憶されている記憶手段と、
予め用意されている地図、この地図上に表示されているページ数識別マークと、前記地図上の目的地に該当する箇所に付された目的地識別マークとを同時に撮像する撮像手段と、
この撮像手段により撮像された地図とページ数識別マークと目的地識別マークを表示する撮像表示手段と、
この撮像表示手段により表示された目的地識別マークの配置に対応するページ数識別マークからページ数を取得するページ数取得手段と、
更に、前記撮像表示手段により表示された目的地識別マークの位置に対応する座標範囲を抽出する抽出手段と、
前記ページ数取得手段により取得されたページ数に基づいて、前記記憶手段から対応して記憶されている緯度経度を読み出す読出手段と、
この読出手段から読み出された緯度経度に基づいて前記抽出手段により抽出された目的地識別マークの位置する座標範囲における緯度経度を算出する算出手段と、
外部から受信した位置情報に基づいて、現在地の緯度経度を取得する取得手段と、
前記算出手段により算出された緯度経度と、前記取得手段により取得された現在地の緯度経度とに基づいて、ナビゲーション情報を出力する出力手段と、
を備えることを特徴とする電子機器。
【請求項５】
前記ページ数識別マークは、ページごとに異なる形状を有するマークであることを特徴とする請求項３又は４に記載の電子機器。
【請求項６】
前記ページ数識別マークは、ページごとに異なる色調を有するマークであることを特徴とする請求項３又は４に記載の電子機器。
【請求項７】
予め用意されている地図における複数のページ数、その地図における座標範囲、及びその座標範囲に対応する緯度経度がそれぞれ対応付けられて複数組記憶されている記憶手段と、前記地図におけるページ数と前記座標範囲とを入力するための入力手段と、を備える電子機器のコンピュータに、
前記入力手段により入力されたページ数と前記座標範囲とに基づいて、前記記憶手段から対応して記憶されている緯度経度を読み出す機能と、
外部から受信した位置情報に基づいて、現在地の緯度経度を取得する機能と、取得した現在地の緯度経度と読み出した緯度経度とに基づいて、ナビゲーション情報を出力する機能と、
を実現させるためのプログラム。
【請求項８】
予め用意されている地図における複数のページ数、そのページの予め定められている位置における緯度経度がそれぞれ対応付けられて複数組記憶されている記憶手段と、前記地図におけるページ数と、当該地図上の座標範囲とを入力するための入力手段と、を備える電子機器のコンピュータに、
前記入力手段により入力されたページ数に基づいて、前記記憶手段から対応して記憶されている緯度経度を読み出す機能と、
読み出した緯度経度に基づいて前記入力手段により入力された地図上の座標範囲における緯度経度を算出する機能と、
外部から受信した位置情報に基づいて、現在地の緯度経度を取得する機能と、算出した緯度経度と、取得した現在地の緯度経度とに基づいて、ナビゲーション情報を出力する機能と、
を実現させるためのプログラム。
【請求項９】
予め用意されている地図における複数のページ数、そのページの予め定められている位置における緯度経度がそれぞれ対応付けられて複数組記憶されている記憶手段と、予め用意されている地図、この地図上に表示されているページ数識別マークとを同時に撮像する撮像手段と、この撮像手段により撮像された地図とページ数識別マークに加えてカーソルを表示する撮像表示手段と、この撮像表示手段により表示された地図上でカーソルを目的地に該当する箇所に移動させて指定するカーソル指定手段と、を備える電子機器のコンピュータに、
前記カーソル指定手段によって指定されたカーソルの座標範囲を抽出する機能と、
前記撮像表示手段により表示されたカーソルに対応するページ数識別マークからページ数を取得する機能と、
取得したページ数に基づいて、前記記憶手段から対応して記憶されている緯度経度を読み出す機能と、
読み出した緯度経度に基づいて、抽出したカーソルの座標範囲における緯度経度を算出する機能と、
外部から受信した位置情報に基づいて、現在地の緯度経度を取得する機能と、算出した緯度経度と、取得した現在地の緯度経度とに基づいて、ナビゲーション情報を出力する機能と、
を実現させるためのプログラム。
【請求項１０】
予め用意されている地図における複数のページ数、そのページの予め定められている位置における緯度経度がそれぞれ対応付けられて複数組記憶されている記憶手段と、予め用意されている地図、この地図上に表示されているページ数識別マークと、前記地図上の目的地に該当する箇所に付された目的地識別マークとを同時に撮像する撮像手段と、この撮像手段により撮像された地図とページ数識別マークと目的地識別マークを表示する撮像表示手段と、を備える電子機器のコンピュータに、
前記撮像表示手段により表示された目的地識別マークの配置に対応するページ数識別マークからページ数を取得する機能と、
前記撮像表示手段により表示された目的地識別マークの位置に対応する座標範囲を抽出する機能と、
取得したページ数に基づいて、前記記憶手段から対応して記憶されている緯度経度を読み出す機能と、
読み出した緯度経度に基づいて、目的地識別マークの位置する座標範囲における緯度経度を算出する機能と、
外部から受信した位置情報に基づいて、現在地の緯度経度を取得する機能と、算出した緯度経度と、取得した現在地の緯度経度とに基づいて、ナビゲーション情報を出力する機能と、
を実現させるためのプログラム。
【発明の詳細な説明】
【技術分野】
【０００１】
本発明は、電子機器及びプログラムに関する。
【背景技術】
【０００２】
ＧＰＳ（Ｇｌｏｂａｌ  Ｐｏｓｉｔｉｏｎｉｎｇ  Ｓｙｓｔｅｍ）を利用したカーナビゲーションシステムは、現在地の緯度及び経度を算出し、現在地から指定された目的地までの経路を案内するものである。目的地の指定方法としては、例えば、目的地の緯度及び経度を直接入力する方法があるが、この方法ではユーザにとって使いにくいため、例えば、表示ディスプレイに地図を表示させ、目的地を検索し、カーソルやペンで目的地を指定する方法や、住所を入力する方法や、予め登録された目標対象物から選択する方法等がある。
ところで、最近では、上記のようなナビゲーションシステムを携帯できるように、携帯端末で受信した現在地の位置情報を腕時計に送信して腕時計に地図と現在地とを表示する現在位置表示システムが提案されている（例えば、特許文献１参照。）。
【０００３】
【特許文献１】特開２０００−１８０１９７号公報
【発明の開示】
【発明が解決しようとする課題】
【０００４】
しかしながら、特許文献１に記載された現在位置表示システムにおいては、携帯が可能となっても携帯端末のバッテリ等の付帯機器を携帯する必要があるため、荷物がかさばるものとなっていた。また、腕時計は、表示画面が小さいので、地図を表示してカーソルやペンで目的地を指定することは困難であった。また、腕時計内のメモリ容量も少ないため、地図データのようなメモリ容量の大きいデータを記憶することは困難であった。
【０００５】
そこで、本発明の課題は、地図データを備えていなくとも、容易に目的地を指定することができる電子機器及びプログラムを提供することである。
【課題を解決するための手段】
【０００６】
上記課題を解決するため、請求項１に記載の発明は、予め用意されている地図における複数のページ数、その地図における座標範囲、及びその座標範囲に対応する緯度経度がそれぞれ対応付けられて複数組記憶されている記憶手段（例えば、図４の緯度経度情報エリア３１ｂ）と、前記地図におけるページ数と前記座標範囲とを入力するための入力手段（例えば、図３の入力部３３；図８のステップＳ１１，Ｓ１２）と、この入力手段により入力されたページ数と前記座標範囲とに基づいて、前記記憶手段から対応して記憶されている緯度経度を読み出す読出手段（例えば、図３のＣＰＵ３０；図８のステップＳ１３）と、外部から受信した位置情報に基づいて、現在地の緯度経度を取得する取得手段（例えば、図３のＣＰＵ３０；図７のステップＳ２）と、この取得手段により取得された現在地の緯度経度と前記読出手段により読み出された緯度経度とに基づいて、ナビゲーション情報を出力する出力手段（例えば、図３のＣＰＵ３０；図７のステップＳ３）と、を備えることを特徴とする。
【０００７】
請求項１に記載の発明によれば、入力手段により、目的地の記載された予め用意されている地図のページ数と座標範囲を入力すると、入力されたページ数と座標範囲とに基づいて、読出手段が記憶手段に記憶されている緯度経度を読み出し、取得手段が現在地の緯度経度を取得し、現在地の緯度経度と読出手段により読み出された緯度経度とに基づいて、出力手段がナビゲーション情報を出力する。
よって、電子機器自体に地図データを備えていなくとも、容易に目的地を指定することができ、ユーザを目的地に案内することができる。
【０００８】
請求項２に記載の発明は、予め用意されている地図における複数のページ数、そのページの予め定められている位置における緯度経度がそれぞれ対応付けられて複数組記憶されている記憶手段（例えば、図１０の緯度経度情報エリア４６ｂ）と、前記地図におけるページ数と、当該地図上の座標範囲とを入力するための入力手段（例えば、図９のＣＰＵ４５；図１３のステップＳ２１，Ｓ２２）と、この入力手段により入力されたページ数に基づいて、前記記憶手段から対応して記憶されている緯度経度を読み出す読出手段（例えば、図９のＣＰＵ４５；図１３のステップＳ２３）と、この読出手段から読み出された緯度経度に基づいて前記入力手段により入力された地図上の座標範囲における緯度経度を算出する算出手段（例えば、図９のＣＰＵ４５；図１３のステップＳ２４，Ｓ２５）と、外部から受信した位置情報に基づいて、現在地の緯度経度を取得する取得手段（例えば、図９のＣＰＵ４５；図７のステップＳ２）と、前記算出手段により算出された緯度経度と、前記取得手段により取得された現在地の緯度経度とに基づいて、ナビゲーション情報を出力する出力手段（例えば、図９のＣＰＵ４５；図７のステップＳ３）と、を備えることを特徴とする。
【０００９】
請求項２に記載の発明によれば、入力手段により、目的地の記載された予め用意されている地図のページ数と座標範囲を入力すると、入力されたページ数と座標範囲とに基づいて、読出手段が記憶手段に記憶されている緯度経度を読み出し、算出手段が入力手段により入力された地図上の座標範囲における緯度経度を算出し、取得手段が現在地の緯度経度を取得し、現在地の緯度経度と算出手段により算出された緯度経度とに基づいて、出力手段がナビゲーション情報を出力する。よって、電子機器自体に地図データを備えていなくとも、容易に目的地を指定することができ、ユーザを目的地に案内することができる。また、所定の位置以外の緯度経度は算出手段が算出するので、記憶手段に記憶させる緯度経度の情報量を少なくすることができる。
【００１０】
請求項３に記載の発明は、予め用意されている地図における複数のページ数、そのページの予め定められている位置における緯度経度がそれぞれ対応付けられて複数組記憶されている記憶手段（例えば、図１６の緯度経度情報エリア６１ｂ）と、予め用意されている地図、この地図上に表示されているページ数識別マークとを同時に撮像する撮像手段（例えば、図１５のカメラ７２）と、この撮像手段により撮像された地図とページ数識別マークに加えてカーソルを表示する撮像表示手段（例えば、図２０のファインダ７２ａ）と、この撮像表示手段により表示された地図上でカーソルを目的地に該当する箇所に移動させて指定するカーソル指定手段（例えば、図示しない移動キー）と、このカーソル指定手段によって指定されたカーソルの座標範囲を抽出する抽出手段（例えば、図１５のＣＰＵ６０；図２２のステップＳ３４）と、前記撮像表示手段により表示されたカーソルに対応するページ数識別マークからページ数を取得するページ数取得手段（例えば、図１５のＣＰＵ６０；図２２のステップＳ３３）と、このページ数取得手段により取得されたページ数に基づいて、前記記憶手段から対応して記憶されている緯度経度を読み出す読出手段（例えば、図１５のＣＰＵ６０；図２２のステップＳ３５，３６）と、この読出手段から読み出された緯度経度に基づいて前記抽出手段により抽出されたカーソルの座標範囲における緯度経度を算出する算出手段（例えば、図１５のＣＰＵ６０；図２２のステップＳ３７，３８）と、外部から受信した位置情報に基づいて、現在地の緯度経度を取得する取得手段（例えば、図１５のＣＰＵ６０；図７のステップＳ２）と、前記算出手段により算出された緯度経度と、前記取得手段により取得された現在地の緯度経度とに基づいて、ナビゲーション情報を出力する出力手段（例えば、図１５のＣＰＵ６０；図７のステップＳ３）と、を備えることを特徴とする。
【００１１】
請求項３に記載の発明によれば、カーソル指定手段によって撮像表示手段により表示された地図上でカーソルを目的地に該当する箇所に移動させて指定して撮像すると、抽出手段が指定されたカーソルの座標範囲を抽出し、ページ数取得手段がページ数識別マークからページ数を取得すると、このページ数取得手段により取得されたページ数に基づいて、読出手段が緯度経度を読み出す。この読出手段から読み出された緯度経度に基づいて抽出手段により抽出されたカーソルの座標範囲における緯度経度を算出手段が算出し、取得手段が現在地の緯度経度を取得し、算出手段により算出された緯度経度と、取得手段により取得された緯度経度とに基づいて、出力手段がナビゲーション情報を出力する。よって、撮像手段で目的地の地図を撮像するだけで、目的地を指定することができることとなって、電子機器自体に地図データを備えていなくとも、容易に目的地を指定することができ、ユーザを目的地に案内することができる。また、撮像手段を設けることにより、入力手段が不要となるため、小型の電子機器にも適用することができる。
【００１２】
請求項４に記載の発明は、予め用意されている地図における複数のページ数、そのページの予め定められている位置における緯度経度がそれぞれ対応付けられて複数組記憶されている記憶手段（例えば、図２４の緯度経度情報エリア７８ｂ）と、予め用意されている地図、この地図上に表示されているページ数識別マークと、前記地図上の目的地に該当する箇所に付された目的地識別マークとを同時に撮像する撮像手段（例えば、図２３のカメラ８８）と、この撮像手段により撮像された地図とページ数識別マークと目的地識別マークを表示する撮像表示手段（例えば、図２６のファインダ８８ａ）と、この撮像表示手段により表示された目的地識別マークの配置に対応するページ数識別マークからページ数を取得するページ数取得手段（例えば、図２３のＣＰＵ７７；図２８のステップＳ４３）と、更に、前記撮像表示手段により表示された目的地識別マークの位置に対応する座標範囲を抽出する抽出手段（例えば、図２３のＣＰＵ７７；図２８のステップＳ４４）と、前記ページ数取得手段により取得されたページ数に基づいて、前記記憶手段から対応して記憶されている緯度経度を読み出す読出手段（例えば、図２３のＣＰＵ７７；図２８のステップＳ４５，４６）と、この読出手段から読み出された緯度経度に基づいて前記抽出手段により抽出された目的地識別マークの位置する座標範囲における緯度経度を算出する算出手段（例えば、図２３のＣＰＵ７７；図２８のステップＳ４７，４８）と、外部から受信した位置情報に基づいて、現在地の緯度経度を取得する取得手段（例えば、図２３のＣＰＵ７７；図７のステップＳ２）と、前記算出手段により算出された緯度経度と、前記取得手段により取得された現在地の緯度経度とに基づいて、ナビゲーション情報を出力する出力手段（例えば、図２３のＣＰＵ７７；図７のステップＳ３）と、を備えることを特徴とする。
【００１３】
請求項４に記載の発明によれば、撮像手段が地図とページ数識別マークと目的地識別マークを撮像し、ページ数取得手段がページ数識別マークからページ数を取得し、更に、抽出手段が目的地識別マークの位置に対応する座標範囲を抽出し、ページ数取得手段により取得されたページ数に基づいて、読出手段が緯度経度を読み出す。この読出手段から読み出された緯度経度に基づいて、算出手段が目的地識別マークの位置する座標範囲における緯度経度を算出し、取得手段が現在地の緯度経度を取得し、算出手段により算出された緯度経度と、取得手段により取得された緯度経度とに基づいて、出力手段がナビゲーション情報を出力する。
よって、ユーザは地図上の目的地に目的地識別マークを付して撮影するだけで目的地を指定することができることとなって、電子機器自体に地図データを備えていなくとも、容易に目的地を指定することができ、ユーザを目的地に案内することができる。また、撮像手段を設けることにより、入力手段が不要となるため、小型の電子機器にも適用することができる。
【００１４】
請求項５に記載の発明は、前記ページ数識別マークは、ページごとに異なる形状を有するマークであることを特徴とする。
【００１５】
請求項５に記載の発明によれば、ページ数識別マークは、ページごとに異なる形状を有するマークであるため、撮像手段はページ数を容易に識別することができる。
【００１６】
請求項６に記載の発明は、前記ページ数識別マークは、ページごとに異なる色調を有するマークであることを特徴とする。
【００１７】
請求項６に記載の発明によれば、ページ数識別マークは、ページごとに異なる色調を有するマークであるため、撮像手段はページ数を容易に識別することができる。
【００１８】
請求項７に記載の発明は、予め用意されている地図における複数のページ数、その地図における座標範囲、及びその座標範囲に対応する緯度経度がそれぞれ対応付けられて複数組記憶されている記憶手段（例えば、図４の緯度経度情報エリア３１ｂ）と、前記地図におけるページ数と前記座標範囲とを入力するための入力手段（例えば、図３の入力部３３；図８のステップＳ１１，Ｓ１２）と、を備える電子機器のコンピュータに、前記入力手段により入力されたページ数と前記座標範囲とに基づいて、前記記憶手段から対応して記憶されている緯度経度を読み出す機能（例えば、図８のステップＳ１３；図４の目的地読出プログラム３２ａ）と、外部から受信した位置情報に基づいて、現在地の緯度経度を取得する機能（例えば、図７のステップＳ２）と、取得した現在地の緯度経度と読み出した緯度経度とに基づいて、ナビゲーション情報を出力する機能（例えば、図７のステップＳ３；図４の目的地方位出力プログラム３２ｂ）と、を実現させることを特徴とする。
【００１９】
請求項７に記載の発明によれば、プログラムが実行されることにより、入力手段により入力されたページ数と座標範囲とに基づいて、記憶手段から対応して記憶されている緯度経度を読み出し、外部から受信した位置情報に基づいて、現在地の緯度経度を取得し、取得した現在地の緯度経度と読み出した緯度経度とに基づいて、ナビゲーション情報を出力するので、電子機器自体に地図データを備えていなくとも、容易に目的地を指定することができ、ユーザを目的地に案内することができる。
【００２０】
請求項８に記載の発明は、予め用意されている地図における複数のページ数、そのページの予め定められている位置における緯度経度がそれぞれ対応付けられて複数組記憶されている記憶手段（例えば、図１０の緯度経度情報エリア４６ｂ）と、前記地図におけるページ数と、当該地図上の座標範囲とを入力するための入力手段（例えば、図９の入力部４８；図１３のステップＳ２１，Ｓ２２）と、を備える電子機器のコンピュータに、前記入力手段により入力されたページ数に基づいて、前記記憶手段から対応して記憶されている緯度経度を読み出す機能（例えば、図１３のステップＳ２３；図９の目的地読出プログラム４７ａ）と、読み出した緯度経度に基づいて前記入力手段により入力された地図上の座標範囲における緯度経度を算出する機能（例えば、図１３のステップＳ２４，Ｓ２５；図９の目的地緯度経度算出プログラム４７ｂ）と、外部から受信した位置情報に基づいて、現在地の緯度経度を取得する機能（例えば、図７のステップＳ２）と、算出した緯度経度と、取得した現在地の緯度経度とに基づいて、ナビゲーション情報を出力する機能（例えば、図７のステップＳ３；図９の目的地方位出力プログラム４７ｃ）と、を実現させることを特徴とする。
【００２１】
請求項８に記載の発明によれば、プログラムが実行されることにより、入力手段により入力されたページ数に基づいて、記憶手段から対応して記憶されている緯度経度を読み出し、読み出した緯度経度に基づいて入力手段により入力された地図上の座標範囲における緯度経度を算出し、外部から受信した位置情報に基づいて、現在地の緯度経度を取得し、算出した緯度経度と、取得した緯度経度とに基づいて、ナビゲーション情報を出力するので、電子機器自体に地図データを備えていなくとも、容易に目的地を指定することができ、ユーザを目的地に案内することができる。また、所定の位置以外の緯度経度は算出手段が算出するので、記憶手段に記憶させる緯度経度の情報量を少なくすることができる。
【００２２】
請求項９に記載の発明は、予め用意されている地図における複数のページ数、そのページの予め定められている位置における緯度経度がそれぞれ対応付けられて複数組記憶されている記憶手段（例えば、図１５のＣＰＵ６０）と、予め用意されている地図、この地図上に表示されているページ数識別マークとを同時に撮像する撮像手段（例えば、図１５のカメラ７２）と、この撮像手段により撮像された地図とページ数識別マークに加えてカーソルを表示する撮像表示手段（例えば、図２０のファインダ７２ａ）と、この撮像表示手段により表示された地図上でカーソルを目的地に該当する箇所に移動させて指定するカーソル指定手段と、を備える電子機器のコンピュータに、
前記カーソル指定手段によって指定されたカーソルの座標範囲を抽出する機能（例えば、図２２のステップＳ３４）と、前記撮像表示手段により表示されたカーソルに対応するページ数識別マークからページ数を取得する機能（例えば、図２２のステップＳ３３）と、取得したページ数に基づいて、前記記憶手段から対応して記憶されている緯度経度を読み出す機能（例えば、図２２のステップＳ３５，Ｓ３６；図１５の目的地読出プログラム６２ａ）と、読み出した緯度経度に基づいて、抽出したカーソルの座標範囲における緯度経度を算出する機能（例えば、図２２のステップＳ３７，Ｓ３８；図１５の目的地緯度経度算出プログラム６２ｂ）と、
外部から受信した位置情報に基づいて、現在地の緯度経度を取得する機能（例えば、図７のステップＳ２）と、
算出した緯度経度と、取得した現在地の緯度経度とに基づいて、ナビゲーション情報を出力する機能（例えば、図７のステップＳ３；図１５の目的地方位出力プログラム６２ｃ）と、
を実現させることを特徴とする。
【００２３】
請求項９に記載の発明によれば、プログラムが実行されることにより、カーソル指定手段によって指定されたカーソルの座標範囲を抽出し、撮像表示手段により表示されたカーソルに対応するページ数識別マークからページ数を取得し、取得したページ数に基づいて、記憶手段から対応して記憶されている緯度経度を読み出し、読み出した緯度経度に基づいて、抽出したカーソルの座標範囲における緯度経度を算出し、外部から受信した位置情報に基づいて、現在地の緯度経度を取得し、算出した緯度経度と、取得した緯度経度とに基づいて、ナビゲーション情報を出力するので、撮像手段で目的地の地図を撮像するだけで、目的地を指定することができることとなって、電子機器自体に地図データを備えていなくとも、容易に目的地を指定することができ、ユーザを目的地に案内することができる。
【００２４】
請求項１０に記載の発明は、予め用意されている地図における複数のページ数、そのページの予め定められている位置における緯度経度がそれぞれ対応付けられて複数組記憶されている記憶手段（例えば、図２４の緯度経度情報エリア７８ｂ）と、予め用意されている地図、この地図上に表示されているページ数識別マークと、前記地図上の目的地に該当する箇所に付された目的地識別マークとを同時に撮像する撮像手段（例えば、図２３のカメラ８８）と、この撮像手段により撮像された地図とページ数識別マークと目的地識別マークを表示する撮像表示手段（例えば、図２６のファインダ８８ａ）と、を備える電子機器のコンピュータに、前記撮像表示手段により表示された目的地識別マークの配置に対応するページ数識別マークからページ数を取得する機能（例えば、図２８のステップＳ４３）と、前記撮像表示手段により表示された目的地識別マークの位置に対応する座標範囲を抽出する機能（例えば、図２８のステップＳ４４）と、
取得したページ数に基づいて、前記記憶手段から対応して記憶されている緯度経度を読み出す機能（例えば、図２８のステップＳ４５，Ｓ４６；図２３の目的地読出プログラム７９ａ）と、
読み出した緯度経度に基づいて、目的地識別マークの位置する座標範囲における緯度経度を算出する機能（例えば、図２８のステップＳ４７，Ｓ４８；図２３の目的地緯度経度算出プログラム７９ｂ）と、
外部から受信した位置情報に基づいて、現在地の緯度経度を取得する機能（例えば、図７のステップＳ２）と、
算出した緯度経度と、取得した現在地の緯度経度とに基づいて、ナビゲーション情報を出力する機能（例えば、図７のステップＳ３；図２３の目的地方位出力プログラム７９ｃ）と、を実現させることを特徴とする。
【００２５】
請求項１０に記載の発明によれば、プログラムが実行されることにより、撮像表示手段により表示された目的地識別マークの配置に対応するページ数識別マークからページ数を取得し、更に、撮像表示手段により表示された目的地識別マークの位置に対応する座標範囲を抽出し、ページ数取得手段により取得したページ数に基づいて、記憶手段から対応して記憶されている緯度経度を読み出し、読み出した緯度経度に基づいて、目的地識別マークの位置する座標範囲における緯度経度を算出し、外部から受信した位置情報に基づいて、現在地の緯度経度を取得し、算出手段により算出した緯度経度と、取得手段により取得した緯度経度とに基づいて、ナビゲーション情報を出力するので、よって、ユーザは地図上の目的地に目的地識別マークを付して撮影するだけで目的地を指定することができることとなって、電子機器自体に地図データを備えていなくとも、容易に目的地を指定することができ、ユーザを目的地に案内することができる。
【発明の効果】
【００２６】
請求項１に記載の発明によれば、電子機器自体に地図データを備えていなくとも、容易に目的地を指定することができ、ユーザを目的地に案内することができる。
【００２７】
請求項２に記載の発明によれば、電子機器自体に地図データを備えていなくとも、容易に目的地を指定することができ、ユーザを目的地に案内することができる。また、所定の位置以外の緯度経度は算出手段が算出するので、記憶手段に記憶させる緯度経度の情報量を少なくすることができる。
【００２８】
請求項３に記載の発明によれば、撮像手段で目的地の地図を撮像するだけで、目的地を指定することができることとなって、電子機器自体に地図データを備えていなくとも、容易に目的地を指定することができ、ユーザを目的地に案内することができる。また、撮像手段を設けることにより、入力手段が不要となるため、小型の電子機器にも適用することができる。
【００２９】
請求項４に記載の発明によれば、ユーザは地図上の目的地に目的地識別マークを付して撮影するだけで目的地を指定することができることとなって、電子機器自体に地図データを備えていなくとも、容易に目的地を指定することができ、ユーザを目的地に案内することができる。また、撮像手段を設けることにより、入力手段が不要となるため、小型の電子機器にも適用することができる。
【００３０】
請求項５に記載の発明によれば、ページ数識別マークは、ページごとに異なる形状を有するマークであるため、撮像手段はページ数を容易に識別することができる。
【００３１】
請求項６に記載の発明によれば、ページ数識別マークは、ページごとに異なる色調を有するマークであるため、撮像手段はページ数を容易に識別することができる。
【００３２】
請求項７に記載の発明によれば、プログラムが実行されることにより、電子機器自体に地図データを備えていなくとも、容易に目的地を指定することができ、ユーザを目的地に案内することができる。
【００３３】
請求項８に記載の発明によれば、プログラムが実行されることにより、電子機器自体に地図データを備えていなくとも、容易に目的地を指定することができ、ユーザを目的地に案内することができる。また、所定の位置以外の緯度経度は算出手段が算出するので、記憶手段に記憶させる緯度経度の情報量を少なくすることができる。
【００３４】
請求項９に記載の発明によれば、プログラムが実行されることにより、撮像手段で目的地の地図を撮像するだけで、目的地を指定することができることとなって、電子機器自体に地図データを備えていなくとも、容易に目的地を指定することができ、ユーザを目的地に案内することができる。
【００３５】
請求項１０に記載の発明によれば、プログラムが実行されることにより、ユーザは地図上の目的地に目的地識別マークを付して撮影するだけで目的地を指定することができることとなって、電子機器自体に地図データを備えていなくとも、容易に目的地を指定することができ、ユーザを目的地に案内することができる。
【発明を実施するための最良の形態】
【００３６】
〔第一の実施の形態〕
以下、本発明に係る電子機器及びプログラムについて詳細に説明する。本実施の形態においては、電子機器の一例として腕時計を挙げて説明する。
図１、２に示すように、電子機器である腕時計１００には、デジタル表示機能を備えた液晶表示装置である時計モジュール１を内部に収納する機器ケースとしての時計ケース２が備えられ、時計ケース２の上部中央には時計ガラス３がパッキン４を介して装着されている。更に、この時計ケース２の下面には、裏蓋５が防水リング６を介して取り付けられている。また、この時計ケース２の上部外周にはベゼル７が設けられている。更に、時計ケース２には、バンド軸２Ａを介し、時計バンドＢが取り付けられている。
【００３７】
時計モジュール１には、図２に示すように、上部ハウジング１ａと下部ハウジング１ｂとが備えられ、上部ハウジング１ａと下部ハウジング１ｂとの間に回路基板８が配置されている。
上部ハウジング１ａには、液晶表示素子１０等が備えられており、下部ハウジング１ｂには、例えば、液晶表示素子１０を駆動させるためのＬＣＤ駆動部１１と、ＬＣＤ駆動部１１を動作させるための電源である電池１２が組み込まれている。
これら液晶表示素子１０、ＬＣＤ駆動部１１、電池１２等は、回路基板８を介し電気的に接続されている。
【００３８】
液晶表示素子１０は、例えば、上板ガラス１３ａと下板ガラス１３ｂとの間に、図示しない上下一対の透明な電極間に液晶が備えられた液晶層を封止した液晶セル１３と、液晶セル１３の視認側である上面に貼付された透過型偏光板１４と、液晶セル１３の下面に貼付されたカラー偏光板１５と、そのカラー偏光板１５の下面に貼付された半透過反射板付偏光板１６と、により構成されている。なお、液晶には、例えば、ツイスト角が９０度のツイストネマティック（ＴＮ）液晶を使用する。
【００３９】
そして、この液晶表示素子１０は、ＬＣＤ駆動部１１により、液晶セル１３における図示しない一対の透明な電極間に電圧を印加した状態に応じて、例えば、図１に示すように、時刻や日時、方位などの情報を表示するように構成されているものである。
また、液晶表示素子１０の下面側には、光源であるバックライト１７が配置されている。バックライト１７としては、ＥＬ（エレクトロルミネッセンス）素子、ＬＥＤ（ライトエミッティングダイオード）と導光板の組み合わせ、紫外線発光素子と発光体が備えられた導光板の組み合わせ、等を利用することができる。
【００４０】
図３は、腕時計１００の回路構成を示すブロック図であり、腕時計１００は、各部を制御するＣＰＵ３０、ＣＰＵ３０のワークエリアとして使用されるＲＡＭ３１、ＣＰＵ３０が各部を制御するのに必要なシステムプログラム等が記憶されたＲＯＭ３２、腕時計１００として機能するために必要な時刻修正キー等が設けられた入力部３３、時刻を表示するとともに、ユーザに目的地の方位を表示する表示部３４、発振回路部３５から発振される所定周波数のクロック信号を分周して年月日及び時刻を計時し、ＣＰＵ３０に入力する計時回路部３６、ＧＰＳ衛星から受信アンテナ３７を介してＧＰＳ情報を受信する位置情報受信部３８で受信した周波数信号を電気信号に変換する信号処理部３９、スピーカ４０への放音信号の制御を行う音声制御部４１等を備えて構成されている。また、各部はバスライン４３によって接続されている。
【００４１】
ＣＰＵ３０は、入力部３３により入力された地図のページ数と目的地が位置する地図上の座標範囲とに基づいて、ＲＡＭ３１の緯度経度情報エリア３１ｂ（後述する）に記憶されている緯度経度を読み出し、読み出した緯度経度を目的地情報エリア３１ｄ（後述する）に記憶する読出手段として機能する。
また、ＣＰＵ３０は、外部から受信した位置情報に基づいて、現在地の緯度経度を取得し、取得した現在地の緯度経度を現在地情報エリア３１ｅ（後述する）に記憶する取得手段として機能する。
また、ＣＰＵ３０は、取得された現在地の緯度経度と読み出された緯度経度とに基づいて、ナビゲーション情報を作成し、作成したナビゲーション情報を目的地方位情報エリア３１ｆ（後述する）に記憶するとともに、該ナビゲーション情報を表示部３４に表示する出力手段として機能する。
【００４２】
ＲＡＭ３１には、図４に示すように、複数のメモリエリアが設けられている。
即ち、ＣＰＵ３０のワーク用である腕時計１００のＲＡＭエリア３１ａ、予め用意されている地図における複数のページ数と、その地図における座標範囲と、及びその座標範囲に対応する緯度経度がそれぞれ対応付けられて複数組記憶されている記憶手段としての緯度経度情報エリア３１ｂ、入力部３３により入力されたページ数、座標範囲を記憶する入力情報エリア３１ｃ、緯度経度情報エリア３１ｂから読み出した緯度経度を記憶する目的地情報エリア３１ｄ、ＧＰＳ衛星から受信したＧＰＳの位置情報に基づいて取得した現在地の方位及び緯度経度を記憶する現在地情報エリア３１ｅ、現在地の方位及び緯度経度と目的地の緯度経度に基づいて求めた目的地の方位を記憶する目的地方位情報エリア３１ｆ等が設けられている。
【００４３】
ここで、緯度経度情報エリア３１ｂに記憶されている地図のページ数、座標範囲について説明する。具体的には、地図は、例えば、市販されている地図帳と同様のものであり、各ページは、例えば、図５に示すように、等緯度及び等経度に区分けされている。なお、図５に示すように、本実施の形態においては、各ページは緯度方向に４分割されるとともに、経度方向にも４分割され、各区画は１ページあたり１６個の区画（座標範囲）に分割されている。各ページには、区画番号が付され、例えば、緯度を区切る方向にＡ，Ｂ，Ｃ，Ｄ、経度を区切る方向に０，１，２，３とされ、左上の区画が「Ａ−０」となる。また、ＲＡＭ３１の緯度経度情報エリア３１ｂには、図６に示すように、各区画の左上下の緯度及び経度と、右上下の緯度及び経度と、が地図帳のページ数及び区画番号に対応付けられて記憶されている。例えば、地図帳の１６ページにおける区画番号「Ｃ−２」Ｐの左上の緯度は、「３５°５０′００．０″」、経度は「１３９°１４′４８．５″」であることがわかる。
【００４４】
ＲＯＭ３２は、ＣＰＵ３０の制御の下、ＣＰＵ３０で処理されたデータを記憶するとともに、記憶しているデータをＣＰＵ３０に出力するために用いられる。
ＲＯＭ３２は、主に、腕時計１００に係るナビゲーションプログラムやシステムプログラム、アプリケーションプログラム等を格納している。特に、本発明に係る緯度経度情報エリア３１ｂから目的地の緯度経度を読み出す目的地読出プログラム３２ａや、現在地の方位を求めて出力する目的地方位出力プログラム３２ｂ等を記憶している。
【００４５】
入力部３３は、地図上の目的地に該当するページ数と座標範囲を入力するための入力手段として機能しており、時刻修正を行う機能も有している。ページ等の番号は、キーを押した回数によって定めることができるようになっている。
【００４６】
表示部３４は、上述した液晶表示素子１０等により構成され、ＣＰＵ３０からのデータ、例えば、計時回路部３６による現在時刻データ等を表示する。
【００４７】
計時回路部３６は、発振回路部３５から入力されるクロック信号を計数して、現在時刻データ等を得る。そして当該現在時刻データをＣＰＵ３０に出力する。
発振回路部３５は、常時一定周波数のクロック信号を出力するようになっている。
【００４８】
位置情報受信部３８は、受信アンテナ３７で受信した標準電波の不要な周波数成分をカットして該当する周波数信号を取り出して信号処理部３９へ出力し、信号処理部３９は、入力された周波数信号を対応する電気信号に変換する。
【００４９】
音声制御部４１は、ユーザに音声によって目的地の方位等を知らせるものであり、スピーカ４０を通して、「目的地に到着しました」「目的地はここから南の方向です」等のアナウンスを制御する。
【００５０】
次に、上記のような構造を有する腕時計１００による目的地までのナビゲーション処理について、図７に示すフローチャートを用いて説明する。
図７に示すように、まず、腕時計１００を着用しているユーザは、地図帳を見て目的地が掲載されている箇所を探し、ページ数及び区画番号（座標範囲）を入力部３３から入力することにより、ＣＰＵ３０は、目的地の緯度及び経度を特定する（ステップＳ１）。次いで、ＣＰＵ３０は、ＧＰＳ衛星からＧＰＳの位置情報を、位置情報受信部３８を介して受信し、現在地の緯度及び経度を算出してＲＡＭ３１の現在地情報エリア３１ｅに記憶する（ステップＳ２）。次いで、ＣＰＵ３０は、現在地の緯度及び経度と目的地の緯度及び経度に基づいて、現在地から目的地までの距離及び方位を算出し、ＲＡＭ３１の目的地方位情報エリア３１ｆに記憶する。そして、ＣＰＵ３０は、ＲＡＭ３１の目的地方位情報エリア３１ｆに記憶された目的地の方位に該当する箇所の液晶表示素子（例えば、図１の符号３４ａ）を駆動させることにより表示させる。また、ＣＰＵ３０は、音声制御部４２により、スピーカ４１から「目的地は南に２ｋｍです。」等の音声を発生させる（ステップＳ３）。
一方、ＣＰＵ３０は、現在地と目的地の緯度及び経度が一致していないと判断すれば（ステップＳ４；ＮＯ）、ユーザは目的地に到着していないため、再び、ステップＳ２に戻るが、現在地と目的地の緯度及び経度が一致したと判断すれば（ステップＳ４；ＹＥＳ）、ナビゲーション処理を終了する。
【００５１】
次に、ステップＳ１において、目的地に該当する地図帳のページ数及び区画番号の入力に基づいて目的地の緯度及び経度を特定する処理について図８を用いて説明する。
図８に示す処理が開始されると、ＣＰＵ３０は、ユーザが入力した地図帳のページ数を認識し、ＲＡＭ３１の入力情報エリア３１ｃに記憶する（ステップＳ１１）。次いで、ＣＰＵ３０は、ユーザが入力した目的地に該当する区画番号を認識し、ＲＡＭ３１の入力情報エリア３１ｃに記憶する（ステップＳ１２）。次いで、ＣＰＵ３０は、ＲＡＭ３１の入力情報エリア３１ｃに記憶したページ数及び区画番号を読み出し、緯度経度情報エリア３１ｂにアクセスしてページ数及び区画番号が一致するデータを検索する。そして、ＣＰＵ３０は、入力したページ数及び区画番号に対応する緯度及び経度を取得し、ＲＡＭ３１の目的地情報エリア３１ｄに記憶する（ステップＳ１３）。
【００５２】
本第一の実施の形態の腕時計１００によれば、入力部３３により、目的地の記載された予め用意されている地図のページ数と区画番号を入力すると、入力されたページ数と区画番号とに基づいて、ＣＰＵ３０が緯度経度情報エリア３１ｂに記憶されている緯度経度を読み出す。そして、ＣＰＵ３０は、ＧＰＳ衛星からの電波を受信して、現在地の緯度経度を取得し、現在地の緯度経度と読み出された緯度経度とに基づいて、目的地の方位及び距離を算出し、目的地の方位を液晶表示によって示す。よって、腕時計１００自体に地図データを備えていなくとも、容易に目的地を指定することができ、ユーザを目的地に案内することができる。
また、目的地の距離をスピーカ５５から発声させることにより、目的地への方位と距離をユーザに知らせることができ、ユーザフレンドリーなナビゲーション装置とすることができる。
【００５３】
〔第二の実施の形態〕
本発明の第二の実施の形態の腕時計２００について説明する。
第二の実施の形態の腕時計２００は、第一の実施の形態における図７のステップＳ１の目的地の緯度及び経度の算出処理が第一の実施の形態と異なるものである。
したがって、本実施の形態においては、第一の実施の形態と異なる部分についてのみ説明し、同様の構成については、詳細な説明を省略する。
【００５４】
図９は、第二の実施の形態の腕時計２００の回路構成を示すブロック図である。
図９に示す腕時計２００は、各部を制御するＣＰＵ４５、ＣＰＵ４５のワークエリアとして使用されるＲＡＭ４６、ＣＰＵ４５が各部を制御するのに必要なシステムプログラムが記憶されたＲＯＭ４７、腕時計２００として機能するために必要な時刻修正キー等が設けられた入力部４８、時刻を表示するとともに、ユーザに目的地の方位を表示する表示部４９、発振回路部５０から発振される所定周波数のクロック信号を分周して年月日及び時刻を計時し、ＣＰＵ４５に入力する計時回路部５１、ＧＰＳ衛星から受信アンテナ５２を介してＧＰＳ情報を受信する位置情報受信部５３、この位置情報受信部５３で受信した周波数信号を電気信号に変換する信号処理部５４、スピーカ５５への放音信号の制御を行う音声制御部５６等を備えて構成されている。また、各部はバスライン５８によって接続されている。
【００５５】
ＣＰＵ４５は、入力部４８により入力された地図のページ数と目的地が位置する地図上の座標範囲とに基づいて、ＲＡＭ４６の緯度経度情報エリア４６ｂ（後述する）に記憶されている緯度経度を読み出し、読み出した緯度経度を基準情報エリア４６ｄ（後述する）に記憶する読出手段として機能する。
また、ＣＰＵ４５は、ＲＡＭ４６から読み出された緯度経度に基づいて、入力された地図上の座標範囲における緯度経度を算出し、算出した緯度経度を目的地情報エリア４６ｅ（後述する）に記憶する算出手段として機能する。
更に、ＣＰＵ４５は、外部から受信した位置情報に基づいて、現在地の緯度経度を取得し、取得した緯度経度を現在地情報エリア４６ｆ（後述する）に記憶する取得手段として機能する。
また、ＣＰＵ３０は、取得された現在地の緯度経度と読み出された緯度経度とに基づいて、ナビゲーション情報を作成し、作成したナビゲーション情報を目的地方位情報エリア４６ｇ（後述する）に記憶するともに、表示部４９に表示する出力手段として機能する。
【００５６】
ＲＡＭ４６には、図１０に示すように、複数のメモリエリアが設けられている。即ち、ＣＰＵ４５のワーク用である腕時計２００のＲＡＭエリア４６ａ、予め用意されている地図における複数のページ数と、その地図における座標範囲と、及びその座標範囲に対応する緯度経度がそれぞれ対応付けられて複数組記憶されている記憶手段としての緯度経度情報エリア４６ｂ、入力部４８により入力されたページ数、座標範囲を記憶する入力情報エリア４６ｃ、緯度経度情報エリア４６ｂから読み出した緯度経度を記憶する基準情報エリア４６ｄ、読み出した緯度経度に基づいて、入力された地図上の座標範囲における算出された目的地の緯度経度を記憶する目的地情報エリア４６ｅ、ＧＰＳ衛星から受信したＧＰＳの位置情報に基づいて取得した現在地の方位及び緯度経度を記憶する現在地情報エリア４６ｆ、現在地の方位及び緯度経度と目的地の緯度経度に基づいて求めた目的地の方位を記憶する目的地方位情報エリア４６ｇ等が設けられている。
【００５７】
ここで、緯度経度情報エリア４６ｂに記憶されている地図のページ数、座標範囲について説明する。
具体的には、地図の各ページは、第一の実施の形態と同様、図１１に示すように、緯度方向に４分割されるとともに、経度方向にも４分割され、各区画は１ページあたり１６個の区画（座標範囲）に分割されている。また、各ページには、区画番号が付され、例えば、緯度を区切る方向にＡ，Ｂ，Ｃ，Ｄ、経度を区切る方向に０，１，２，３とされ、左上の区画が「Ａ−０」となる。また、緯度経度情報エリア４６ｂには、図１２に示すように、各ページの左上の区画における左上の緯度及び経度が、地図帳のページ数及び区画番号に対応付けられて記憶されている。例えば、地図帳の１６ページにおける区画番号「Ａ−０」の左上の緯度は、「３５°５０′００．０″」、経度は「１３９°１４′４８．５″」であることがわかる。また、他のページにおいても、記憶されているのは、左上の区画（即ち、「Ａ−０」）の左上の緯度及び経度のみである。
【００５８】
次に、図６におけるステップＳ１において、目的地に該当する地図帳のページ番号及び区画番号の入力から目的地の緯度及び経度を特定する処理について図１３を用いて説明する。
図１３に示す処理が開始されると、ＣＰＵ４５は、ユーザが入力した地図帳のページ数を認識し、ＲＡＭ４６の入力情報エリア４６ｃに記憶する（ステップＳ２１）。次いで、ＣＰＵ４５は、ユーザが入力した目的地に該当する区画番号を認識し、ＲＡＭ４６の入力情報エリア４６ｃに記憶する（ステップＳ２２）。次いで、ＣＰＵ４５は、ＲＡＭ４６の入力情報エリア４６ｃに記憶したページ数を読み出し、ＲＡＭ４６の緯度経度情報エリア４６ｂにアクセスしてページ数が一致するデータを検索する。そして、ページ数に対応する区画の左上の緯度及び経度を取得する（ステップＳ２３）。
【００５９】
次いで、ＣＰＵ４５は入力情報エリア４６ｃから区画番号を読み出し、区画番号のうち、緯度を区切る区画番号（Ａ，Ｂ，Ｃ，Ｄ）と「Ａ−０」における緯度とから目的地の緯度を算出する（ステップＳ２４）。すなわち、図１１に示すように、Ａ，Ｂ，Ｃ，Ｄはいずれも等間隔にかつ、所定の間隔で区切られているため、例えば、目的地の区画番号が「Ｃ−３」であるとすると、「Ｃ」は「Ａ」から２区画分ずれているため、２区画分の緯度を「Ａ−０」の緯度に足せばよい。
【００６０】
次いで、ＣＰＵ４５は入力情報エリア４６ｃから区画番号を読み出し、区画番号のうち、経度を区切る区画番号（０，１，２，３）と「Ａ−０」における経度とから目的地の経度を算出する（ステップＳ２５）。すなわち、図１１に示すように、０，１，２，３はいずれも等間隔に区切られているため、例えば、目的地の区画番号が「Ｃ−３」であるとすると、「３」は「０」から３区画分ずれているため、３区画分の経度を「Ａ−０」の経度に足せばよい。
【００６１】
本第二の実施の形態の腕時計２００によれば、入力部４８により、目的地の記載された予め用意されている地図のページ数と座標範囲を入力すると、入力されたページ数と座標範囲とに基づいて、ＣＰＵ４５が緯度経度情報エリア４６ｂに記憶されている緯度経度を読み出すとともに、入力された地図上の区画番号における緯度経度を算出する。そして、ＣＰＵ４５は、ＧＰＳ衛星からの電波を受信して、現在地の緯度経度を取得し、現在地の緯度経度と読み出された緯度経度とに基づいて、目的地の方位及び距離を算出し、目的地の方位を液晶表示（例えば、図１の符号３４ａ）によって示す。よって、腕時計２００自体に地図データを備えていなくとも、容易に目的地を指定することができ、ユーザを目的地に案内することができる。また、所定の位置以外の緯度経度はＣＰＵ４５が算出するので、緯度経度情報エリア４６ｂに記憶させる緯度経度の情報量を少なくすることができる。
【００６２】
〔第三の実施の形態〕
本発明の第三の実施の形態の腕時計３００について、図１４〜図１７を用いて説明する。
第三の実施の形態の腕時計３００は、撮像手段としてのカメラ７２を備えており、このカメラ７２で地図を撮像し、この撮像画像データに基づいて、目的地の位置情報を算出するものである。なお、本実施の形態においては、第一の実施の形態及び第二の実施の形態と異なる部分についてのみ説明し、同様の構成については、説明を省略する。
【００６３】
腕時計３００は、図１４に示すように、腕時計１００の側面にカメラ接続部２０が設けられたものである。カメラ接続部２０は、カメラ７２で撮像した画像データをケーブルＣを介して腕時計３００に送信するためのものである。その他の構成は、腕時計１００と同様であるため、詳細な説明を省略する。
【００６４】
図１５は、腕時計３００の回路構成を示すブロック図である。
図１５に示すように、腕時計３００は、各部を制御するＣＰＵ６０、ＣＰＵ６０のワークエリアとして使用されるＲＡＭ６１、ＣＰＵ６０が各部を制御するのに必要なシステムプログラムが記憶されたＲＯＭ６２、時刻を表示するとともに、ユーザに目的地の方位を表示する表示部６４、発振回路部６５から発振される所定周波数のクロック信号を分周して年月日及び時刻を計時し、ＣＰＵ６０に入力する計時回路部６６、ＧＰＳ衛星から受信アンテナ６７を介してＧＰＳ情報を受信する位置情報受信部６８、この位置情報受信部６８で受信した周波数信号を電気信号に変換する信号処理部６９、スピーカ７０への放音信号の制御を行う音声制御部７１、地図を撮像するためのカメラ７２、カメラ７２で撮像した画像を処理する画像処理部７３等を備えて構成されている。また、各部はバスライン７５によって接続されている。
【００６５】
ＣＰＵ６０は、カメラ７２のファインダ７２ａに表示されるカーソル７２ｃ（後述する）が示す座標範囲を抽出し、抽出した区画番号（座標範囲）をＲＡＭエリア６１ａ（後述する）に記憶する抽出手段として機能する。
また、ＣＰＵ６０は、カーソル７２ｃに対応するページ数識別マークＭからページ数を取得し、取得したページ数をＲＡＭエリア６１ａに記憶するページ数取得手段として機能する。
更に、ＣＰＵ６０は、取得されたページ数に基づいて、緯度経度情報エリア６１ｂ（後述する）に記憶されている緯度経度を読み出す読出手段として機能する。
また、ＣＰＵ６０は、緯度経度情報エリア６１ｂから読み出された緯度経度に基づいて、抽出されたカーソル７２ｃの座標範囲における緯度経度を算出し、算出した緯度経度を目的地情報エリア６１ｆ（後述する）に記憶する算出手段として機能する。
更に、ＣＰＵ６０は、外部から受信した位置情報に基づいて、現在地の緯度経度を取得し、取得した緯度経度を現在地情報エリア６１ｇ（後述する）に記憶する取得手段として機能する。
また、ＣＰＵ６０は、算出された緯度経度と、取得された緯度経度に基づいて、ナビゲーション情報を作成し、作成したナビゲーション情報を目的地方位情報エリア６１ｈ（後述する）に記憶するとともに、表示部６４に表示する出力手段として機能する。
【００６６】
ＲＡＭ６１には、図１６に示すように、複数のメモリエリアが設けられている。即ち、ＣＰＵ６０のワーク用である腕時計３００のＲＡＭエリア６１ａ、予め用意されている地図における複数のページ数と、その地図における座標範囲と、及びその座標範囲に対応する緯度経度がそれぞれ対応付けられて複数組記憶されている記憶手段としての緯度経度情報エリア６１ｂ、カメラ７２で撮像した画像を記憶する画像情報エリア６１ｃ、地図のページを識別するために地図上に表示されているページ数識別マークを記憶するページ情報エリア４６ｄ、カーソル７２ｃが指す座標と地図の座標範囲とを対応づけて記憶するカーソル情報エリア６１ｅ、緯度経度情報エリア６１ｂから読み出した緯度経度に基づいて、抽出されたカーソル７２ｃの座標範囲における目的地の緯度経度を記憶する目的地情報エリア４６ｅ、ＧＰＳ衛星から受信したＧＰＳの位置情報に基づいて取得した現在地の方位及び緯度経度を記憶する現在地情報エリア６１ｇ、現在地の方位及び緯度経度と目的地の緯度経度に基づいて求めた目的地の方位を記憶する目的地方位情報エリア６１ｈ等が設けられている。
【００６７】
ここで、ページ情報エリア６１ｄ、カーソル情報エリア６１ｅに記憶されている地図のページ数識別マークＭ、カーソル７２ｃの座標について説明する。
具体的には、ページ情報エリア６１ｄは、図１７（ａ）に示すように、地図のページ数とページ数識別マークＭとが対応づけられている。ここで、ページ数識別マークＭは、ページごとに異なる形状を有するマークとされ、カメラ７２で撮像した場合に、その形状からページを容易に特定できるようになっている。また、図１９に示すように、ページ数識別マークＭは、各ページの左上に付されており、例えば、撮像した画像のページ数識別マークＭが黒丸（●）である場合には、６ページを撮像したと判断できる。また、撮像した画像のページ数認識マークＭが白四角（□）である場合には、１９ページを撮像したと判断できる。
カーソル情報エリア６１ｅは、撮像した画像のｘ−ｙ座標と地図の座標範囲とが対応づけられている。ここで、カーソル７２ｃはファインダ７２ａに表示された地図上で、自由に移動させることができるものであり、図１８に示すように、カーソル７２ｃの座標が（Ｘｇ，Ｙｆ）であれば、目的地の座標範囲は、「Ｃ−３」と判断するようになっている。
【００６８】
カメラ７２は、撮像された地図とページ数識別マークＭに加えてカーソル７２ｃを表示する撮像表示手段としてのファインダ７２ａと、ファインダ７２ａに写された地図上でカーソル７２ｃを目的地に該当する箇所に移動させて指定するカーソル指定手段としての移動キー（図示しない）を備えている。
ファインダ７２ａには、図２０に示すように、左上と右下に略Ｌ字状のコーナーマーク７２ｄが設けられており、撮像する際に、ページの左上のページ数識別マークＭと重ね合わせて用いるものである。
【００６９】
次に、図７におけるステップＳ１において、目的地が掲載された地図を撮像して、目的地の緯度及び経度を特定する処理について図２１、図２２を用いて説明する。
図２１（ａ）に示すように、まず、ユーザは、地図の目的地が掲載されたページを開く。例えば、目的地が６ページの「Ｃ−２」に掲載されている場合、ページの左上には図２１（ａ）からもわかるように、黒丸（●）のページ数識別マークＭが付されている。
【００７０】
次いで、ユーザがカメラ７２のファインダ７２ａを覗き、図２１（ｂ）に示すように、ファインダ７２ａ上に写された地図上のページ数識別マークＭとコーナーマーク７２ｄとを重ね合わせる（ステップＳ３０）。次いで、ファインダ７２ａを覗きながら移動キーを操作して、カーソル７２ｃを目的地の区画「Ｃ−２」に移動させる（ステップＳ３１）。次いで、ユーザが地図を撮像すると、ＣＰＵ６０は、その画像データからページ数識別マークＭを読み取る（ステップＳ３２）。次いで、ＣＰＵ６０は、ページ情報エリア６１ｄにアクセスして、読み取ったページ数識別マークＭから撮像したページ数を取得する（ステップＳ３３）。
次いで、ＣＰＵ６０は、カーソル７２ｃの中心のｘ−ｙ座標を求める（ステップ３４）。
次いで、ＣＰＵ６０は、カーソル情報エリア７２ｅにアクセスして、カーソル７２ｃの中心のｘ−ｙ座標に基づいて、目的地の区画番号を読み出す（ステップＳ３５）。
【００７１】
次いで、ＣＰＵ６０は、緯度経度情報エリア６１ｂにアクセスして、取得したページ数から「Ａ−０」の緯度及び経度を読み出す（ステップＳ３６）。
次いで、ＣＰＵ６０は、読み出した区画番号のうち、緯度を区切る区画番号（Ａ，Ｂ，Ｃ，Ｄ）と「Ａ−０」における緯度とから目的地の緯度を算出する（ステップＳ３７）。図２１（ｂ）に示すように、目的地の区画番号が「Ｃ−２」であるとすると、「Ｃ」は「Ａ」から２区画分ずれているため、２区画分の緯度を「Ａ−０」の緯度に足せばよい。次いで、ＣＰＵ６０は、読み出した区画番号のうち、経度を区切る区画番号（０，１，２，３）と「Ａ−０」における経度とから目的地の経度を算出する（ステップＳ３８）。目的地の区画番号が「Ｃ−２」であるため、「２」は「０」から２区画分ずれていることとなり、２区画分の経度を「Ａ−０」の経度に足せばよい。
【００７２】
本実施の形態の腕時計３００によれば、カメラ７２のファインダ７２ａに表示された地図上でカーソル７２ｃを目的地に該当する箇所に移動させて指定して撮像すると、ＣＰＵ６０は、ページ数識別マークＭから撮像したページ数を取得するとともに、指定されたカーソル７２ｃの中心のｘ−ｙ座標を抽出して、カーソル７２ｃが位置する区画番号を求める。そして、求めたページ数と区画番号とに基づいて、緯度経度情報エリア６１ｂから目的地の緯度経度を読み出す。次いで、ＣＰＵ６０は、ＧＰＳ衛星から現在地の緯度経度を取得し、目的地の緯度経度と現在地の緯度経度とに基づいて、目的地の方位に該当する箇所の液晶表示素子１０をＬＣＤ駆動部１１により駆動させて表示させることによってユーザに知らせることができる（例えば、図１４の符号６４ａ）。よって、カメラ７２で目的地の地図を撮像するだけで、目的地を指定することができることとなって、腕時計３００自体に地図データを備えていなくとも、容易に目的地を指定することができ、ユーザを目的地に案内することができる。また、カメラ７２を設けることにより、入力手段が不要となるため、腕時計３００のような小型の電子機器にも適用することができる。
【００７３】
〔第四の実施の形態〕
本発明の第四の実施の形態の腕時計４００について、図２３〜図２８を用いて説明する。
第四の実施の形態の腕時計４００は、撮像手段としてのカメラ８８を備えており、このカメラ８８で地図を撮像し、この撮像画像データに基づいて、目的地の位置情報を算出するものである。なお、本実施の形態においては、第一の実施の形態〜第三の実施の形態と異なる部分について説明し、同様の構成については、詳細な説明を省略する。
【００７４】
図２３は、腕時計４００の回路構成を示すブロック図であり、腕時計４００は、各部を制御するＣＰＵ７７、ＣＰＵ７７のワークエリアとして使用されるＲＡＭ７８、ＣＰＵ７７が各部を制御するのに必要なシステムプログラムが記憶されたＲＯＭ７９、時刻を表示するとともに、ユーザに目的地の方位を表示する表示部８０、発振回路部８１から発振される所定周波数のクロック信号を分周して年月日及び時刻を計時し、ＣＰＵ７７に入力する計時回路部８２、ＧＰＳ衛星から受信アンテナ８３を介してＧＰＳ情報を受信する位置情報受信部８４、この位置情報受信部８４で受信した周波数信号を電気信号に変換する信号処理部８５、スピーカ８６への放音信号の制御を行う音声制御部８７、地図を撮像するためのカメラ８８、カメラ８８で撮像した画像を処理する画像処理部８９等を備えて構成されている。また、各部はバスライン９１によって接続されている。
【００７５】
ＣＰＵ７７は、カメラ８８のファインダ８８ａに表示された目的地識別マークＤ（後述する）の位置に対応する座標範囲を抽出し、抽出した座標範囲をＲＡＭエリア７８ａ（後述する）に記憶する抽出手段として機能する。
また、ＣＰＵ７７は、目的地識別マークＤの配置に対応するページ数識別マークＭからページ数を取得し、取得したページ数をＲＡＭエリア７８ａに記憶するページ数取得手段として機能する。
更に、ＣＰＵ７７は、取得されたページ数に基づいて、緯度経度情報エリア７８ｂ（後述する）に記憶されている緯度経度を読み出す読出手段として機能する。
また、ＣＰＵ７７は、緯度経度情報エリア７８ｂから読み出された緯度経度に基づいて、抽出された目的地識別マークＤの位置する座標範囲における緯度経度を算出し、算出した緯度経度を目的地情報エリア７８ｆに記憶する算出手段として機能する。
更に、ＣＰＵ７７は、外部から受信した位置情報に基づいて、現在地の緯度経度を取得し、取得した緯度経度を現在地情報エリア７８ｇに記憶する取得手段として機能する。
また、ＣＰＵ７７は、算出された緯度経度と、取得された緯度経度に基づいて、ナビゲーション情報を作成し、作成したナビゲーション情報を目的地方位情報エリア７８ｈ（後述する）に記憶するとともに、表示部８０に表示する出力手段として機能する。
【００７６】
ＲＡＭ７８には、図２４に示すように、複数のメモリエリアが設けられている。即ち、ＣＰＵ７７のワーク用である腕時計４００のＲＡＭエリア７８ａ、予め用意されている地図における複数のページ数と、その地図における座標範囲と、及びその座標範囲に対応する緯度経度がそれぞれ対応付けられて複数組記憶されている記憶手段としての緯度経度情報エリア７８ｂ、カメラ８８で撮像した画像を記憶する画像情報エリア７８ｃ、地図のページを識別するために地図上に表示されているページ数識別マークを記憶するページ情報エリア７８ｄ、目的地識別マークＤが付された位置の座標と地図の座標範囲とを対応づけて記憶するマーク情報エリア７８ｅ、緯度経度情報エリア７８ｂから読み出した緯度経度に基づいて、目的地識別マーク７８の座標範囲における目的地の緯度経度を記憶する目的地情報エリア７８ｅ、ＧＰＳ衛星から受信したＧＰＳの位置情報に基づいて取得した現在地の方位及び緯度経度を記憶する現在地情報エリア７８ｇ、現在地の方位及び緯度経度と目的地の緯度経度に基づいて求めた目的地の方位を記憶する目的地方位情報エリア７８ｈ等が設けられている。
【００７７】
ここで、マーク情報エリア７８ｅに記憶されている地図の目的地識別マークＤの座標について説明する。
具体的には、マーク情報エリア７８ｅは、撮像した画像のｘ−ｙ座標と地図の座標範囲とが対応づけられている。ここで、目的地識別マークＤはユーザが地図上に自由に配置できるものであり、図２５に示すように、目的地識別マークＤの座標が（Ｘｇ，Ｙｆ）であれば、目的地の座標範囲は、「Ｃ−３」と判断するようになっている。
【００７８】
カメラ８８は、撮像された地図とページ数識別マークＭに加えて目的地識別マークＤを表示する撮像表示手段としてのファインダ８８ａを備えている。
ファインダ８８ａには、図２６に示すように、左上と右下に略Ｌ字状のコーナーマーク８８ｄが設けられており、撮像する際に、ページの左上のページ数識別マークＭと重ね合わせて用いるものである。
【００７９】
次に、図７におけるステップＳ１において、目的地が掲載された地図を撮像して、目的地の緯度及び経度を特定する処理について図２７、図２８を用いて説明する。
図２７（ａ）に示すように、まず、ユーザは、目的地が掲載されたページを開く。例えば、目的地が１６ページの「Ｃ−２」に掲載されている場合、ページの左上には図２７（ａ）からもわかるように、黒塗りの四角形（◆）のページ数識別マークＭが付されている。そして、地図の目的地上に目的地識別マークＤ（例えば、▲）を載置する（ステップＳ４０）。
【００８０】
次いで、ユーザがカメラ８８のファインダ８８ａを覗くと、図２７（ｂ）に示すような画像が表示される。ここで、ページ数識別マークＭとコーナーマーク８８ｄとを重ね合わせる（ステップＳ４１）。次いで、ユーザが地図を撮像すると、ＣＰＵ７７は、その画像データからページ数識別マークＭを読み取る（ステップＳ４２）。次いで、ＣＰＵ７７は、ページ情報エリア７８ｄにアクセスして、読み取ったページ数識別マークＭから撮像したページ数を取得する（ステップＳ４３）。
次いで、ＣＰＵ７７は、目的地識別マークＤの中心のｘ−ｙ座標を求める（ステップ４４）。
次いで、ＣＰＵ７７は、マーク情報エリア７８ｅにアクセスして、目的地識別マークＤの中心のｘ−ｙ座標に基づいて、目的地の区画番号を読み出す（ステップＳ４５）。
【００８１】
次いで、ＣＰＵ７７は、緯度経度情報エリア７８ｂにアクセスして、取得したページ数から「Ａ−０」の緯度及び経度を読み出す（ステップＳ４６）。
次いで、ＣＰＵ７７は、読み出した区画番号のうち、緯度を区切る区画番号（Ａ，Ｂ，Ｃ，Ｄ）と「Ａ−０」における緯度とから目的地の緯度を算出する（ステップＳ４７）。図２７（ｂ）に示すように、目的地の区画番号が「Ｃ−２」であるとすると、「Ｃ」は「Ａ」から２区画分ずれているため、２区画分の緯度を「Ａ−０」の緯度に足せばよい。次いで、ＣＰＵ７７は読み出した区画番号のうち、経度を区切る区画番号（０，１，２，３）と「Ａ−０」における経度とから目的地の経度を算出する（ステップＳ４８）。目的地の区画番号が「Ｃ−２」であるため、「２」は「０」から２区画分ずれていることとなり、２区画分の経度を「Ａ−０」の経度に足せばよい。
【００８２】
本実施の形態の腕時計４００によれば、目的地識別マークＤを地図上の目的地に置いて撮像すると、ＣＰＵ７７は、ページ数識別マークＭから撮像したページ数を取得するとともに、配置された目的地識別マークＤの中心のｘ−ｙ座標を抽出して、目的地識別マークＤが位置する区画番号を求める。そして、求めたページ数と区画番号とに基づいて、緯度経度情報エリア７８ｂから目的地の緯度経度を読み出す。次いで、ＣＰＵ７７は、ＧＰＳ衛星から現在地の緯度経度を取得し、目的地の緯度経度と現在地の緯度経度とに基づいて、目的地の方位を、該当する箇所の液晶表示素子１０をＬＣＤ駆動部１１により駆動させて表示させることによってユーザに知らせることができる（例えば、図１４の符号６４ａ）。よって、ユーザは地図上の目的地に目的地識別マークＤを付して撮影するだけで目的地を指定することができることとなって、腕時計４００自体に地図データを備えていなくとも、容易に目的地を指定することができ、ユーザを目的地に案内することができる。また、カメラ８８を設けることにより、入力手段が不要となるため、腕時計４００のような小型の電子機器にも適用することができる。
【００８３】
なお、本発明は上記実施の形態に限定されるものではない。例えば、ページ数識別マークは、形状が異なるものに限らず、例えば、図１７（ｂ）に示すように、色調が異なるようにしてもよい。また、電子機器の一例として腕時計をあげて説明したが、腕時計に限らず、携帯電話や電子手帳等の電子機器であってもよい。
【図面の簡単な説明】
【００８４】
【図１】本発明の第一の実施の形態における腕時計を示した一部省略正面図である。
【図２】図１のＩＩ−ＩＩ線における腕時計の要部の拡大断面図である。
【図３】本発明の第一の実施の形態における腕時計要部のブロック図である。
【図４】本発明の第一の実施の形態におけるＲＡＭ内の構成の説明図である。
【図５】本発明の第一の実施の形態における地図のページ数と座標範囲との対応についての説明図である。
【図６】本発明の第一の実施の形態におけるＲＡＭの緯度経度情報エリアのデータ構造の説明図である。
【図７】本発明の第一の実施の形態における目的地の方位の算出処理のフローチャートである。
【図８】本発明の第一の実施の形態における目的地の緯度経度の特定処理のフローチャートである。
【図９】本発明の第二の実施の形態における腕時計要部のブロック図である。
【図１０】本発明の第二の実施の形態におけるＲＡＭ内の構成の説明図である。
【図１１】本発明の第二の実施の形態における地図のページ数と座標範囲との対応についての説明図である。
【図１２】本発明の第二の実施の形態におけるＲＡＭの緯度経度情報エリアのデータ構造の説明図である。
【図１３】本発明の第二の実施の形態における目的地の緯度経度の特定処理のフローチャートである。
【図１４】本発明の第三の実施の形態における腕時計を示した一部省略正面図である。
【図１５】本発明の第三の実施の形態における腕時計要部のブロック図である。
【図１６】本発明の第三の実施の形態におけるＲＡＭ内の構成の説明図である。
【図１７】本発明の第三の実施の形態における地図のページ数とページ数識別マークとの対応についての説明図である。
【図１８】本発明の第三の実施の形態におけるカーソルのｘ−ｙ座標と地図の座標範囲との対応についての説明図である。
【図１９】本発明の第三の実施の形態における地図のページ数と座標範囲との対応についての説明図である。
【図２０】本発明の第三の実施の形態におけるカメラのファインダの説明図である。
【図２１】本発明の第三の実施の形態における地図のページをカメラで撮像するときの説明図である。
【図２２】本発明の第三の実施の形態における目的地の緯度経度の特定処理のフローチャートである。
【図２３】本発明の第四の実施の形態における腕時計要部のブロック図である。
【図２４】本発明の第四の実施の形態におけるＲＡＭ内の構成の説明図である。
【図２５】本発明の第四の実施の形態におけるカーソルのｘ−ｙ座標と地図の座標範囲との対応についての説明図である。
【図２６】本発明の第四の実施の形態におけるカメラのファインダの説明図である。
【図２７】本発明の第四の実施の形態における地図のページをカメラで撮像するときの説明図である。
【図２８】本発明の第四の実施の形態における目的地の緯度経度の特定処理のフローチャートである。
【符号の説明】
【００８５】
３０      ＣＰＵ（読出手段、取得手段、出力手段）
３１ｂ    緯度経度情報エリア（記憶手段）
３３      入力部（入力手段）
４５      ＣＰＵ（読出手段、算出手段、取得手段、出力手段）
４６ｂ    緯度経度情報エリア（記憶手段）
４８      入力部（入力手段）
６０      ＣＰＵ（抽出手段、ページ数取得手段、読出手段、算出手段、取得  手段、出力手段）
６１ｂ    緯度経度情報エリア（記憶手段）
７２      カメラ（撮像手段）
７２ａ    ファインダ（撮像表示手段）
７２ｃ    カーソル
７７      ＣＰＵ（抽出手段、ページ数取得手段、読出手段、算出手段、取得  手段、出力手段）
７８ｂ    緯度経度情報エリア（記憶手段）
８８      カメラ（撮像手段）
８８ａ    ファインダ（撮像表示手段）
Ｍ        ページ数識別マーク
Ｄ        目的地識別マーク
１００，２００，３００，４００    腕時計
【図１】
2008157935.tif 000003
【図２】
2008157935.tif 000004
【図３】
2008157935.tif 000005
【図４】
2008157935.tif 000006
【図５】
2008157935.tif 000007
【図６】
2008157935.tif 000008
【図７】
2008157935.tif 000009
【図８】
2008157935.tif 000010
【図９】
2008157935.tif 000011
【図１０】
2008157935.tif 000012
【図１１】
2008157935.tif 000013
【図１２】
2008157935.tif 000014
【図１３】
2008157935.tif 000015
【図１４】
2008157935.tif 000016
【図１５】
2008157935.tif 000017
【図１６】
2008157935.tif 000018
【図１７】
2008157935.tif 000019
【図１８】
2008157935.tif 000020
【図１９】
2008157935.tif 000021
【図２０】
2008157935.tif 000022
【図２１】
2008157935.tif 000023
【図２２】
2008157935.tif 000024
【図２３】
2008157935.tif 000025
【図２４】
2008157935.tif 000026
【図２５】
2008157935.tif 000027
【図２６】
2008157935.tif 000028
【図２７】
2008157935.tif 000029
【図２８】
2008157935.tif 000030